(57)【要約】【課題】  棚を手前にスライドさせて奥の方のものを取り出し易くした食器棚を提供する。奥の方のものを取り出し易くしながらも収容部内の収容効率を損なわないようにした食器棚を提供する。【解決手段】  食器棚Ｓ１の内部には収容部１がある。収容部１の前部側には開き戸２が設けてある。収容部１は開き戸２によって区画可能である。収容部１内には開き戸２を開けたときに水平な状態で手前側に突出するよう移動可能な可動棚３が設けられている。可動棚３は、棚板３０の下面が下側に形成される空間部の天井部を構成するよう収容部１内に固定した状態で取り付けてある。【選択図】図３
0003117746.tif 000002
【実用新案登録請求の範囲】
【請求項１】
収容部(1)を有する家具であって、
上記収容部(1)内に設けられる棚板(30)と、
上記棚板(30)の向かい合う両側壁部(300)側に設けてあるスライド手段(31)と、
上記スライド手段(31)に設けてあり、上記収容部(1)内の所要位置に着脱自在に取り付け可能な固定部材(32)と、
を備えており、
上記棚板(30)は、下面が当該棚板(30)の下側に形成される空間部の天井部を構成するよう上記固定部材(32)を収容部(1)内の所要位置に取り付けて、上記スライド手段(31)によって収容部(1)から突出するよう手前方向に引き出し可能に設けてあることを特徴とする、
家具。
【請求項２】
収容部(1)を有する家具であって、
上記収容部(1)内に設けられる棚板(30)と、
上記棚板(30)の向かい合う両側壁部(300)に設けてあるスライド手段(31)と、
上記棚板(30)の側部に位置するよう上記スライド手段(31)に設けてあり、上記収容部(1)内の所要位置に着脱自在に取り付け可能な固定部材(32)と、
を備えており、
上記棚板(30)は、下面が当該棚板(30)の下側に形成される空間部の天井部を構成するよう上記固定部材(32)を収容部(1)内の所要位置に取り付けて、上記スライド手段(31)によって収容部(1)から突出するよう手前方向に引き出し可能に設けてあることを特徴とする、
家具。
【請求項３】
固定部材(32)は、棚板(30)の上面または下面より延出した延出部(320)を有しており、当該延出部(320)には、家具にねじ込む螺合手段(33)を通す貫通孔またはネジ孔が設けてあることを特徴とする、
請求項１または２記載の家具。
【請求項４】
固定部材(32)を固定する螺合手段(33)の頭部側には、硬貨の一部分を差し込んで螺合手段を回すことが可能な差込溝(330)が形成してあることを特徴とする、
請求項３記載の家具。
【考案の詳細な説明】
【技術分野】
【０００１】
本考案は家具に関する。更に詳しくは、棚板を収容部から突出するよう手前方向に引き出して奥の方のものが取り出し易くしたものに関する。また、奥の方のものを取り出し易くしながらも収容部内の収容効率を損なわないようにしたものに関する。
【背景技術】
【０００２】
例えば、食器棚は収容部内に複数の棚板を備えて構成してあり、その前部側には、収容部内に埃やチリ等が入り難いよう区画する開き戸や引き戸が設けられている。食器棚の各棚板は、食器を載せる前の状態であれば、食器等の大きさ（高さ）に合うよう位置が変更できる。しかし、食器を載せた後では実質的に固定された状態となるので動かせない。そのため棚板の奥の方に収容したものは、手前側のものを一旦取り出したりしなければ取り出し難い。
【０００３】
この課題の解決を目的とするものとして、従来、例えば特許文献１に開示されたものが知られている。この食器棚は、収容部の横幅の約半分の大きさを有する二つの棚体を備えており、それぞれの棚体を収容部内の前側と後側に、互いに横方向に移動できるように設けた構成を有している。
【０００４】
この食器棚によれば、棚体を横方向に移動させて棚体が置かれていた手前側に空間をつくることができるので、棚体を動かせば手前側のものを取り出すことなく、奥のものを取り出すことができる。
【０００５】
【特許文献１】特開平１１−７５９６５号公報
【考案の開示】
【考案が解決しようとする課題】
【０００６】
しかし、特許文献１に開示された食器棚には、次のような課題があった。
即ち、棚体を横方向に移動して、棚板が置かれていた手前側に空間をつくった場合でも、奥の方のものは依然として収容部内に手を入れて取り出さなければならなかったので、奥の方のものの取り出し難さはそれほど変わらなかった。
【０００７】
また、棚体を収容部内で移動させなければならなかったので、収容部内には棚体を移動可能にするだけの空間を確保しておかなければならなかった。そのため収容部は、空間容積の割りに収容効率が悪かった。
【０００８】
本考案の目的は、棚板の奥の方のものが取り出し易い家具を提供することにある。
本考案の他の目的は、棚板の奥の方のものを取り出し易くしながらも収容部内の収容効率を損なわない家具を提供することにある。
また、本考案の他の目的は、奥の方のものを取り出し易くする棚板の取り付け位置が任意に変更できる家具を提供することにある。
【０００９】
更に、本考案の他の目的は、収容部から突出するよう手前方向に引き出し可能な棚板であって、下面が下側に形成される空間部の天井部を構成するよう設けることができる家具を提供することにある。
更にまた、本考案の他の目的は、収容部から突出するよう手前方向に引き出し可能な棚板であって、この棚板を収容部内へ設ける固定部材の取り付け及び取り外しが、工具を要さずに簡単にできる家具を提供することにある。
【課題を解決するための手段】
【００１０】
上記目的を達成するために講じた本考案の手段は次のとおりである。
第１の考案にあっては、
収容部を有する家具であって、
上記収容部内に設けられる棚板と、
上記棚板の向かい合う両側壁部側に設けてあるスライド手段と、
上記スライド手段に設けてあり、上記収容部内の所要位置に着脱自在に取り付け可能な固定部材と、
を備えており、
上記棚板は、下面が当該棚板の下側に形成される空間部の天井部を構成するよう上記固定部材を収容部内の所要位置に取り付けて、上記スライド手段によって収容部から突出するよう手前方向に引き出し可能に設けてあることを特徴とする、
家具である。
【００１１】
第２の考案にあっては、
収容部を有する家具であって、
上記収容部内に設けられる棚板と、
上記棚板の向かい合う両側壁部に設けてあるスライド手段と、
上記棚板の側部に位置するよう上記スライド手段に設けてあり、上記収容部内の所要位置に着脱自在に取り付け可能な固定部材と、
を備えており、
上記棚板は、下面が当該棚板の下側に形成される空間部の天井部を構成するよう上記固定部材を収容部内の所要位置に取り付けて、上記スライド手段によって収容部から突出するよう手前方向に引き出し可能に設けてあることを特徴とする、
家具である。
【００１２】
第３の考案にあっては、
固定部材は、棚板の上面または下面より延出した延出部を有しており、当該延出部には、家具にねじ込む螺合手段を通す貫通孔またはネジ孔が設けてあることを特徴とする、
第１または第２の考案に係る家具である。
【００１３】
第４の考案にあっては、
固定部材を固定する螺合手段の頭部側には、硬貨の一部分を差し込んで螺合手段を回すことが可能な差込溝が形成してあることを特徴とする、
第３の考案に係る家具である。
【００１４】
本考案に係る家具としては、収容部を有する、例えば、食器棚、テレビボード、リビングボード、サイドボード、書棚等を挙げることができるが、これに限定するものではない。
【００１５】
（作  用）
本考案に係る家具の作用を説明する。なお、ここでは本考案の各構成要件のそれぞれに、後述する実施の形態において各部に付与した符号を対応させて付与して説明するが、この符号の付与はあくまで説明の理解を容易にするためであって各構成要件の上記各部への限定を意味するものではない。
【００１６】
本考案に係る家具において収容部(1)内に設けられる棚板(30)は、向かい合う両側壁部(300)側にスライド手段(31)を設けて、このスライド手段(31)に固定部材(32)を設けて構成してある。棚板(30)は、下面がこの棚板(30)の下側に形成される空間部の天井部を構成するよう固定部材(32)を収容部(1)内の所要位置に取り付けて設けられる。
【００１７】
棚板(30)は、家具の収容部(1)内に設けてある状態で棚板(30)を手前方向に引く。これにより棚板(30)は収容部(1)から突出するよう手前方向に引き出される。
【００１８】
棚板(30)は、固定部材(32)が収容部(1)内の所要位置に着脱自在に取り付け可能であるので、棚板(30)の取り付け位置が任意に変更できる。
【００１９】
固定部材(32)が延出部(320)を有するものは、延出部(320)に設けられた貫通孔またはネジ孔に螺合手段(33)を通して家具にねじ込むことで棚板(30)が取り付けられる。
【００２０】
螺合手段(33)の頭部側に差込溝(330)が形成してあるものは、差込溝(330)に硬貨の一部分を差し込んで螺合手段を回すことで螺合手段(33)を家具にねじ込むことができる。
【考案の効果】
【００２１】
本考案は上記構成を備え、次の効果を有する。
（ａ）本考案によれば、収容部から突出するよう手前方向に引き出し可能な棚板を備えているので、引き出すことで収容部の奥の方に収容された収容物でも取り出し易い。また、収容物は手前側からだけでなく側方からも出し入れし易い。
【００２２】
（ｂ）本考案によれば、棚板が収容部から突出するよう手前方向に引き出し可能であり、従来のもののように収容部内で移動しないので、収容部内に棚板を移動可能にするだけの空間を確保する必要がなく、収容部内の収容効率は低下しない。
【００２３】
（ｃ）本考案によれば、棚板を収容部内へ設ける固定部材が着脱自在に取り付け可能であるので、例えば、食器等の大きさ（高さ）に合わせて棚板の取り付け位置が任意に変更可能である。
【００２４】
（ｄ）本考案によれば、収容部から突出するよう手前方向に引き出し可能な棚板でも、この下面によって下側に形成される空間部の天井部が構成されるので、棚板は、引き出すことのできない通常の棚板と同じように使用でき、下側の空間部の容積を狭くしたりしない。
【００２５】
（ｅ）固定部材が延出部を有するものは、延出部に設けられた貫通孔またはネジ孔に螺合手段を通して家具にねじ込むことで取り付けられる。特に、螺合手段の頭部側に差込溝が形成してあるものは、ドライバー等の工具を要さずに硬貨の一部分を差込溝に差し込んで螺合手段を回すことができるので、収容部内への取り付け及び取り外しが簡単である。
【考案を実施するための最良の形態】
【００２６】
本考案の実施の形態を図面に基づき更に詳細に説明する。
図１は本考案に係る家具である食器棚の一実施の形態を示す斜視説明図、
図２は図１に示す食器棚の縦断面図、
図３は棚板を手前側に引き出した状態を示す斜視説明図、
図４は図３に示す食器棚の縦断面図である。
【００２７】
符号Ｓ１は家具である食器棚を示している。食器棚Ｓ１は所要の高さを有しており、上部側の内部には食器等を収容する収容部１が設けられている。収容部１の前部側には開き戸２，２が設けられている。収容部１は、開き戸２，２によって埃やチリ等が入り難いよう区画可能である。
【００２８】
食器棚Ｓ１における収容部１内の側壁には、可動棚３（後述）を取り付けるネジ穴１０・・・が所要間隔を設けて複数箇所に形成してある。
【００２９】
収容部１内には、開き戸２，２を開けたときに収容部から突出するよう手前方向に引き出し可能な可動棚３が設けられている。
【００３０】
可動棚３は所要の板厚を有し、長方形状に形成してある棚板３０を備えている。棚板３０の長さの短い側の向かい合う両側壁部３００，３００には、それぞれスライド手段であるスライドレール３１，３１が設けてある。各スライドレール３１には、収容部１内の所要位置に着脱自在に取り付け可能な固定部材３２が、棚板３０の側部に位置するようそれぞれ設けてある。
【００３１】
詳しくは各スライドレール３１は、内レール３１０、中レール３１１、外レール３１２を備えており、それぞれの間にボールベアリング（図では見えない）を挟んで入子式に組み合わせて構成されている。このうち外レール３１２の内側基部には、所要の厚みを有し、弾性を備えたゴム製の緩衝固定具３１３が接着して設けてある。緩衝固定具３１３は、棚板３０を収容部１内に収容したときに中レール３１１の端部と係合し、停止したときの衝撃をやわらげ、かつ収容部１内に収容された状態が簡易的に固定されて維持できるようにするものである。従って、棚板３０は、所要以上の力をもって引き出さなければ中レール３１１と緩衝固定具３１３との係合状態が解除できず、収容部１内から引き出されない。
【００３２】
スライドレール３１は、内レール３１０が棚板３０の側壁部３００に固定した状態で取り付けてあり、外レール３１２が固定部材３２に固定した状態で取り付けてある。
【００３３】
固定部材３２は、棚板３０の側壁部３００と略同じ長さで、所要の板厚を有する長方形状に形成してあり、スライドレール３１を介した棚板３０の両側壁部３００側から垂下して、棚板３０の上面から実質的に突出しないよう設けてある。固定部材３２のうち棚板３０の下面から延出した部分は延出部３２０である。
【００３４】
延出部３２０の両端側（手前側と奥側）には、家具にねじ込む螺合手段である固定ネジ３３が貫通可能な貫通孔（符号省略）が形成してある。可動棚３の取り付け時には貫通孔に固定ネジ３３が貫通して設けられる。固定ネジ３３は、頭部に硬貨の一部分を差し込んで回すことが可能な差込溝３３０が形成してあるものを使用する。
【００３５】
可動棚３は、固定部材３２の延出部３２０に形成してある貫通孔を通して、固定ネジ３３をネジ穴１０にねじ込むことにより、棚板３０の下面が下側に形成される空間部の天井部を構成するよう収容部１内に固定した状態で取り付けてある。
【００３６】
（作  用）
図１ないし図４を参照して、食器棚Ｓ１の使い方と可動棚３の作用を説明する。
まず、開き戸２，２を開き、収容部１の前部側を開放状態にする。可動棚３は、棚板３０の前部側を掴んで所要以上の力で手前方向に引く。これにより中レール３１１と緩衝固定具３１３の係合状態が解除され、スライドレール３１によって棚板３０が収容部から突出するよう引き出される。
【００３７】
このように可動棚３の棚板３０は、収容部１から突出するよう引き出すことができるので、引き出すことで収容部１の奥の方に収容された収容物でも取り出し易い。
【００３８】
また、棚板３０は引き出して突出しているので、収容物は手前側からだけでなく引き出した側方からも出し入れし易い。
【００３９】
可動棚３は、棚板３０を手前方向に突出するよう引き出す構造を有しており、従来のもののように収容部内で移動させるものではないので、収容部内に棚板を移動可能にするだけの空間を確保する必要がなく、収容部１内の収容効率は低下しない。
【００４０】
棚板３０は、中レール３１１と緩衝固定具３１３が係合した状態で収容部１内に収容されており、所要以上の力で手前方向に引っ張って上記の係合状態を解除しなければ収容部１より引き出されない。従って、例えば、開き戸２，２を開け放した状態のときに地震等が発生しても、簡単にはスライドしない。
【００４１】
可動棚３は、固定ネジ３３をネジ穴１０にねじ込むことによって収容部１内に取り付けてある。従って、可動棚３は、固定ネジ３３を外すことができ、収容部１内において所要の高さの位置につけ替えることができる。つまり、例えば、食器等の大きさ（高さ）に合わせて取り付け位置が任意に変更可能である。
【００４２】
また、可動棚３は、頭部に硬貨の一部分を差し込んで回すことができる差込溝３３０が形成してある固定ネジ３３を使用して取り付けられており、この固定ネジ３３はドライバー等の工具を要さずに硬貨の一部分を差込溝に差し込んで回すことができるので、収容部内への取り付け及び取り外しが簡単である。
【００４３】
可動棚３は、棚板３０の側壁部３００，３００にスライドレール３１，３１と固定部材３２，３２を設けて形成されているので、既存の棚板と比べても外観的にさほど変わらない。従って、デザインの違和感も少なく、従来からある食器棚に慣れ親しんだ消費者でも受け入れ易い。
【００４４】
可動棚３は、棚板３０の下面が下側に形成される空間部の天井部を構成するよう収容部１内に固定した状態で取り付けてあるので、可動棚３は、引き出すことのできない通常の棚板と同じように使用でき、下側の空間部の容積を狭くしたりしない。
【００４５】
本実施の形態で示す可動棚３は、棚板３０がスライドレール３１を使用して手前方向に引き出せるように構成したが、これは限定するものではなく、種々の公知手段のものが使用可能である。また、スライドレールの構成も上記したものに限定しない。
【００４６】
また、本実施の形態では説明していないが、例えば、可動棚３の棚板３０上には、食器等の収容物を保持するための保持具や、収容物の落下防止を図るための落下防止柵等を設けることも可能である。
【００４７】
更に、棚板３０には、例えば、指を引っ掛ける引掛部や取っ手等を設けることができ、これにより引き出し操作をし易くすることもできる。
【００４８】
本実施の形態では、中レール３１１の端部と緩衝固定具３１３が係合することにより、棚板３０の固定状態が維持できるようにしたが、これは限定するものではなく、この固定手段は、例えば、磁石等の性質を利用したもの等を使用しても良い。
【００４９】
本実施の形態では家具として開き戸２を有する食器棚を例示したが、これは限定するものではなく、例えば、引き戸によって収容部が区画されるようにしてあるものを使用することもできる。
【００５０】
本明細書で使用している用語と表現は、あくまでも説明上のものであって、なんら限定的なものではなく、本明細書に記述された特徴およびその一部と等価の用語や表現を除外する意図はない。また、本考案の技術思想の範囲内で、種々の変形態様が可能であるということは言うまでもない。
【図面の簡単な説明】
【００５１】
【図１】本考案に係る家具である食器棚の一実施の形態を示す斜視説明図。
【図２】図１に示す食器棚の縦断面図。
【図３】棚板を手前側に引き出した状態を示す斜視説明図。
【図４】図３に示す食器棚の縦断面図。
【符号の説明】
【００５２】
Ｓ１  食器棚
１  収容部
１０  ネジ穴
２  開き戸
３  可動棚
３０  棚板
３１  スライドレール
３２  固定部材
３３  固定ネジ
３００  側壁部
３１０  内レール
３１１  中レール
３１２  外レール
３１３  緩衝固定具
３２０  延出部
３３０  差込溝
【図１】
0003117746.tif 000003
【図２】
0003117746.tif 000004
【図３】
0003117746.tif 000005
【図４】
0003117746.tif 000006